(57)【要約】      （修正有）【課題】メッシュフェンスをコンクリートの擁壁に施工する際のメッシュフェンスの支柱を入れるボイドを所定の位置に固定することができるボイド支持具を提供する。【解決手段】コンクリートの擁壁を施工するときに、メッシュフェンスの支柱を取り付ける所定の場所には、横筋３を入れずその部分に、鉄製円筒１の内側周方向に突起物を１つ以上設け、この鉄製円筒１の外部側面に一本以上の鉄筋２を直角方向に固着して一本化したボイド支持具３０を固定することによりボイド９の取り付けを行う。【選択図】図１
2016084647.tif 000002
【特許請求の範囲】
【請求項１】
鉄製円筒１の内側周方向に突起物１２を１つ以上設けて、この鉄製円筒１の外側側面  に一本以上の鉄筋２を直角方向に固着して一体化したことを特徴とするボイド支持具３  ０。
【発明の詳細な説明】
【技術分野】
【０００１】
本発明は、隣地との境界にフェンス等を設置する場合に擁壁に設置するフェンス等の支柱を立てる為の擁壁に穴をあけるボイドの取り付けを容易にするボイド支持具に関する物である。
【背景技術】
【０００２】
コンクリート擁壁や地面の上に、設置される網目状の構造のメッシュフェンスは、開放的な外観と頑丈な構造の為、需要があり多くの施工事例があります。従来のメッシュフェンスは、まずベースをコンクリートで打設し、コンクリートがまだ柔らかい内に縦筋を打ち込みます。コンクリートが固くなった後、前記縦筋に横筋を針金等で固定し、横筋にボイドを針金等で取り付け後、コンクリートを入れる為の型枠を設置し、コンクリートを打設して擁壁を作る工程で行われていた。ここで言う横筋とは、擁壁のコンクリートが固まった時に、温度の変化等でコンクリートに縦にヒビが入らないようにする。断面が円形で細長い形状の鉄製の棒である。ボイドとは紙で出来た円筒であり、コンクリートが固まった後このボイドを取り除くと、その後にボイドと同じ大きさの穴が形成され、その穴にメッシュフェンス等の支柱を挿入・固定する。
【先行技術文献】
【特許文献】
【０００３】
【特許文献１】実開１９９３−７１３４４
【特許文献２】実開１９９３−７７３２４
【特許文献３】実開１９８８−１７２３８
【発明の概要】
【発明が解決しようとする課題】
【０００４】
従来のメッシュフェンスの施工は、まずベースをコンクリートで打設し、コンクリートがまだ柔らかい内に縦筋を打ち込みます。コンクリートが固くなった後、縦筋に横筋を針金等で取り付けます。横筋の所定の場所に垂直にボイドを針金等で固定し、コンクリートを入れる為の型枠をし、その後コンクリートを打設し擁壁を作る工程で行われていた。ボイドは、所定の位置、高さ及び間隔で垂直に立てます。
ボイドを針金等で横筋に取り付けしていたが形が丸く滑りやすかった。又、ボイドの下端に蓋し、ボイドの上部までコンクリートを入れバイブレーターで、コンクリートを柔らかくするのでその振動とコンクリートの圧力でボイドが動き易かった。その為、強固に取り付ける必要があるので手間がかかっていた。
【課題を解決するための手段】
【０００５】
上記課題を解決するために本発明は、鉄製円筒１の内側周方向に突起物１２を１つ以上設けて、この鉄製円筒１の外側側面に、一本以上の鉄筋２を直角方向に固着して一体化したボイド支持具３０に関するものである。このボイド支持具３０の鉄筋２を所定の場所の横筋３に針金５等の金属線で固定する。前記ボイド支持具３０を上下の横筋３に夫々取り付ける事により、上下２つのボイド支持具３０でボイド９を支持することがでる。この後、ボイド９を前記上下２つの鉄製円筒１の内側に挿入・固定しボイド９を垂直に取り付け強固に保持することが出来る。又、現場の状況施工者の判断により先に、先に１つまたは２つのボイド支持具３０に上からボイド９を挿入してから横筋３に針金等で取り付けても良い。
【発明の効果】
【０００６】
本発明のボイド支持具３０を使用することによりボイド９の取り付け精度が向上し、メッシュフェンス７等の支柱を挿入・固定が容易で工期の短縮を図る事ができる。
【図面の簡単な説明】
【０００７】
【図１】ボイド９を使用した擁壁１０の内部構造の例である。
【図２】擁壁上のメッシュフェンス７の設置例である。
【図３】ボイド９を固定するボイド支持具３０の平面図である。
【図４】ボイド９を固定するボイド支持具３０の側面図である。
【図５】ボイド９とボイド支持具３０の組合せ図である。
【図６】直線状の鉄筋２０を使用したボイド支持具３１の例を示す平面図である。
【図７】鉄製円筒１に設けた内部突起物１２の他の形状の例である。
【図８】内部突起物１２の断面図である。
【発明を実施するための形態】
【０００８】
以下に本発明に係るボイド支持具３０を使用した具体的な実施形態について説明する。 図１は、擁壁１０を施工する初期段階であり、コンクリートのベース６を打設後まだ柔らかい内に縦筋４を打ち込み、ボイド９を取り付ける所定の場所以外に縦筋４に横筋３を針金５等で取り付ける。ボイド９を取り付ける所定の場所には、ボイド支持具３０を上下の横筋３に夫々取り付ける事により、上下２つのボイド支持具３０でコンクリートの圧に負けないように垂直にボイド９を支持することが出来る。
【０００９】
本実施例のボイド支持具３０は、図３に示すように鉄製円筒１、突起物１２、鉄筋２とから構成されており、それぞれは加工性及び強度等を考慮して薄手の鉄板と鉄筋により製作されている。鉄製円筒１は、帯状の薄い一枚の鉄板を曲げて円筒にし、鉄板の端と端を少し重ねてスポット溶接等により円筒に製作する。円筒の内側に突起させる突起物１２は、鉄板が帯状の時に、下端部に金引きノコギリ等で突起物１２の１つに２本ずつ帯鉄の端部に直角方向に１センチ程切り込みを入れておく。次に鉄筋２は、真直ぐな鉄筋２で鉄製円筒１を抱き込むようＶ字型に曲げるがそれ以外の直線両端の鉄筋２が、円筒１の中心になるようＶ字型を調整して曲げる。鉄製円筒１が接した部分をスポット溶接等して固着する。その後、突起物１２を鉄製円筒１の内側に角度をつけて曲げる。ボイド９を上から押入れ上に抜けないように下向きに１０度から３０度の角度をつけて曲げる。上端部を曲げる場合は、１５０度から１７０度の角度を、つけて曲げておく。図１は、擁壁１０を施工する初期段階であり、コンクリートのベース６を打設後まだ柔らかい内に、縦筋４を打ち込みボイド９を取り付ける所定の場所以外には、縦筋４に横筋３を針金等で取り付ける。ボイド９を取り付ける所定の場所には、ボイド支持具３０を上下の横筋３に夫々取り付ける事により、上下２つのボイド支持具３０でコンクリートの圧に負けないように、ボイド９を支持することが出来る。図２は、図１に示す擁壁１０の内部構造を組み上げて型枠をし、コンクリートで打設し、次に型枠を外し擁壁が出来上がった後、支柱８をボイド９の取り除いた穴１３に差し込み、モルタルを入れて支柱８を固定、メッシュフェンス７を取り付けた図である。
図７は鉄製円筒の突起物形状の説明である。
（a）は突起物を四角形とした図である。
（b）は中心部に外側より内部に向けて押し出しを設けた図である。
(c) は突起物を三角形とした図である。
（d）は突起物をＭ字形にした図である。
図８は内部突起物１２の断面図である。
（b）は鉄製円筒の下端部に突起物を設けた例。
（c）は鉄製円筒の上端部に突起物を設けた例。
【産業上の利用可能性】
【００１０】
このボイド支持具３０の用途の幅は広く、近隣との境界のメッシュフェンス施工時に、メッシュフェンス７の支柱８を入れる穴を形成するボイド９を固定する為このボイド支持具３０を使用する。その他、道路のガードレールや標識の支柱８を入れる穴を開けるのに、ボイド９を使用する場合に、ボイド９を固定する為このボイド支持具３０を使用する。又、コンクリートの建物、コンクリートの壁等に配管用の穴を開ける時などにも、ボイド９を固定する為このボイド支持具３０を使用する。      
【符号の説明】
【００１１】
１・    鉄製円筒
２・    鉄筋
３・    横筋
４・    縦筋
５・    針金
６・    ベース
７・    メッシュフェンス
８・    メッシュフェンスの支柱
９・    ボイド
１０・  擁壁
１１・  ボイドの底蓋
１２・  内部突起物
１３・  ボイドを取り除いた穴
２０・  ボイド支持具の直線状の鉄筋
３０・  ボイド支持具
３１・  直線状の鉄筋を有するボイド支持具
【図１】
2016084647.tif 000003
【図２】
2016084647.tif 000004
【図３】
2016084647.tif 000005
【図４】
2016084647.tif 000006
【図５】
2016084647.tif 000007
【図６】
2016084647.tif 000008
【図７】
2016084647.tif 000009
【図８】
2016084647.tif 000010